(57)【要約】【課題】ポンプ室から吐出された洗濯水を、流逸を防止して循環水路に効率良く送水することができる洗濯機を提供する。【解決手段】洗濯槽１０の底面１２に、ケーシング２０によって包囲されたパルセータ４０が回転自在に配置されている。  パルセータ４０に設置された裏外周壁５０の下端面５０ｃに円環状の溝である移動側止水溝５１が形成され、ケーシング２０の内周に沿って上方に突出する円筒状の固定側止水壁２１が形成され、前者が後者に侵入した際ラビリンス１が形成される。また、パルセータ４０に設置された表外周壁６０の上端には外側に突出するフランジ６１が形成され、フランジ６１の外周に沿って下方に突出する円筒状の移動側止水壁６２が形成され、一方、ケーシング２０の内周に沿って下方に向かって円環状に陥没する固定側止水溝２３が形成され、前者が後者に侵入して際、ラビリンス２が形成される。【選択図】図１
2008194361.tif 000002
【特許請求の範囲】
【請求項１】
洗濯水を貯蔵自在かつ排出自在な貯水槽と、
該貯水槽内に収納され、底面の中央に開口部が形成された洗濯槽と、
該洗濯槽に回転自在に配設されたパルセータと、
前記洗濯槽に設置され、前記パルセータを回転自在に包囲するケーシングと、
前記洗濯槽に設置され、前記ケーシングに形成された開口部に連通する循環水路と、
該循環水路に設けられ、前記洗濯槽の内側または外側に開口する噴射孔と、
を有し、
前記パルセータと前記ケーシングとの間に水の流逸を困難にするラビリンスが形成されていることを特徴とする洗濯機。
【請求項２】
円盤状のベースと、
該ベースの下面に設置された複数の裏羽根と、
中央に開口部を具備する円板であって、前記複数の裏羽根の下縁の外周寄りの所定範囲を連結する裏蓋と、
前記複数の裏羽根の外周端面を連結して前記ベース寄りの所定範囲を包囲する裏外周壁と、を前記パルセータが有し、
前記ケーシングの内周に沿って、上方に突出する円筒状の固定側止水壁が形成され、かつ、前記パルセータの裏外周壁の下端面に、前記固定側止水壁が移動自在に侵入する円環状の移動側止水溝が形成され、
前記固定側止水壁が前記移動側止水溝に侵入することによってラビリンスが形成されることを特徴とする請求項１記載の洗濯機。
【請求項３】
円盤状のベースと、
該ベースの外周に沿って、上面に設置された表外周壁と、
該ベースの下面に設置された複数の裏羽根と、
中央に開口部を具備する円板であって、前記複数の裏羽根の下縁の外周寄りの所定範囲を連結する裏蓋と、を前記パルセータが有し、
前記ケーシングの内周に沿って下方に向かって円環状に陥没する固定側止溝が形成され、かつ、前記パルセータの表外周壁の上端に外側に突出するフランジと、該フランジの外周に沿って下方に突出する円環状の移動側止水壁が形成され、
前記移動側止水壁が、前記固定側止水溝に侵入することによって、ラビリンスが形成されることを特徴とする請求項１記載の洗濯機。
【請求項４】
円盤状のベースと、
該ベースの下面に設置された複数の裏羽根と、
中央に開口部を具備する円板であって、前記複数の裏羽根の下縁の外周寄りの所定範囲を連結する裏蓋と、を前記パルセータが有し、
前記ケーシングに形成された開口部の下縁が、前記洗濯槽の底面よりも高い位置に配置され、
前記洗濯槽の底面と前記裏蓋の下面、および前記ケーシングの開口部の下縁と前記裏蓋の外周端面、によってラビリンスが形成されることを特徴とする請求項１記載の洗濯機。
【請求項５】
円盤状のベースと、
該ベースの下面に設置された複数の裏羽根と、
中央に開口部を具備する円板であって、前記複数の裏羽根の下縁の外周寄りの所定範囲を連結する裏蓋と、を前記パルセータが有し、
前記ケーシングに形成された開口部の下縁に上方に突出する開口部下壁が形成され、該開口部下壁の上縁が前記洗濯槽の底面よりも高い位置で、
前記洗濯槽の底面と前記裏蓋の下面、および前記ケーシングの開口部下壁の内面と前記裏蓋の外周端面、によってラビリンスが形成されることを特徴とする請求項１記載の洗濯機。
【請求項６】
円盤状のベースと、
該ベースの下面に設置された複数の裏羽根と、
中央に開口部を具備する円板であって、前記複数の裏羽根の下縁の外周寄りの所定範囲を連結する裏蓋と、を  前記パルセータが有し、
前記洗濯槽の底面の中央に形成された開口部の内周に沿って、下方に突出する円環状の固定側止水壁が形成され、かつ、前記パルセータの裏蓋の内周に沿って、下方に突出する円環状の移動側止水壁が形成され、
前記洗濯槽の底面と前記裏蓋の下面、および前記洗濯槽の固定側止水壁の内面と前記裏蓋の移動側止水壁の外面、によってラビリンスが形成されることを特徴とする請求項１記載の洗濯機。
【請求項７】
円盤状のベースと、
該ベースの下面に設置された複数の裏羽根と、
中央に開口部を具備する円板であって、前記複数の裏羽根の下縁の外周寄りの所定範囲を連結する裏蓋と、を前記パルセータが有し、
前記洗濯槽の底面の中央に形成された開口部の内周に沿って、下方に陥没する円環状の固定側止水溝が形成され、かつ、前記パルセータの裏蓋に、前記固定側止水溝に侵入自在な円環状の移動側止水壁が形成され、
前記洗濯槽の固定側止水溝に前記裏蓋の移動側止水壁が侵入することによってラビリンスが形成されることを特徴とする請求項１記載の洗濯機。
【請求項８】
円盤状のベースと、
該ベースの下面に設置された複数の裏羽根と、
中央に開口部を具備する円板であって、前記複数の裏羽根の下縁の外周寄りの所定範囲を連結する裏蓋と、
前記複数の裏羽根の外周端面を連結して前記ベース寄りの所定範囲を包囲する裏外周壁と、を前記パルセータが有し、
前記ケーシングに、前記開口部の両側縁から突出して前記裏外周壁の下に侵入する水流誘導リブが形成されることを特徴とする請求項１記載の洗濯機。
【請求項９】
円盤状のベースと、
該ベースの下面に設置された複数の裏羽根と、
中央に開口部を具備する円板であって、前記複数の裏羽根の下縁の外周寄りの所定範囲を連結する裏蓋と、
前記複数の裏羽根の外周端面を連結して前記ベース寄りの所定範囲を包囲する裏外周壁と、を前記パルセータが有し、
前記裏羽根に、前記裏外周壁より下の外周端面を切り欠いた裏羽根切欠部が形成され、
前記ケーシングに、前記開口部の両側縁から突出して前記裏外周壁の下および前記裏羽根切欠部に侵入する水流誘導リブが形成されることを特徴とする請求項１記載の洗濯機。
【請求項１０】
前記裏蓋の外周に、前記水流誘導リブが面厚方向に通過自在なリブ通過用スリットが形成されることを特徴とする請求項９記載の洗濯機。
。
【請求項１１】
前記貯水槽が傾動自在に懸吊されていることを特徴とする請求項１乃至１０の何れかに記載の洗濯機。
【発明の詳細な説明】
【技術分野】
【０００１】
本発明は洗濯機、特に、洗濯槽の外部に流出した洗濯水を洗濯槽の内部に噴射させる洗濯機に関するものである。
【背景技術】
【０００２】
一般に洗濯機は、洗濯水を貯蔵する貯水槽（水槽に同じ）と貯水槽内に収納され洗濯槽（脱水洗濯槽、脱水乾燥洗濯槽を総称する）とを有している。そして、洗濯水中に浮遊する屑（布屑、糸屑等）を捕捉するフィルタを設置するため、あるいは、洗濯水の水面に消泡用の水を散布するため、洗濯槽から流出した洗濯水を循環させるための循環水路が形成されている。このとき、循環水路への給水手段として、洗濯槽に設置されたパルセータのベースの下面に裏羽根を形成し、回転するパルセータと、パルセータを包囲するケーシングと、洗濯槽の下面とによってポンプ室を形成し、ポンプ性能を高めようとする発明が開示されている（例えば、特許文献１参照）。
【０００３】
【特許文献１】特開平７−２５５９９２号公報（第３−４頁、図１）
【発明の開示】
【発明が解決しようとする課題】
【０００４】
しかしながら、特許文献１に開示された発明は、洗濯槽＋とパルセータの外周縁部との間に、ラビリンス構造のシール部を形成するものであって、具体的には、パルセータの裏側に環状リブを形成し、当該環状リブをケーシングの外面に微少間隔を介して対峙させたり、パルセータの裏側に平坦部を形成し、当該平坦部をケーシングに形成した顎部に微少間隔を介して対峙させたりするものである。
すなわち、比較的広い円筒面同士あるいは平坦面同士を、微少間隔を介して対峙させたものであるため、本来のラビリンス（迷路）を形成するものではなく、ポンプ室から吐出された洗濯水が流逸して、循環水路に十分に供給されないという問題があった。
【０００５】
本発明は上記に鑑みてなされたものであって、ポンプ室から吐出された洗濯水の流逸を防止する性能（以下、「止水性」と称する場合がある）が向上した洗濯機を提供することを目的とする。
【課題を解決するための手段】
【０００６】
本発明に係る洗濯機は、洗濯水を貯蔵自在かつ排出自在な貯水槽と、
該貯水槽内に収納され、底面の中央に開口部が形成された洗濯槽と、
該洗濯槽に回転自在に配設されたパルセータと、
前記洗濯槽に設置され、前記パルセータを回転自在に包囲するケーシングと、
前記洗濯槽に設置され、前記ケーシングに形成された開口部に連通する循環水路と、
該循環水路に設けられ、前記洗濯槽の内側または外側に開口する噴射孔と、
を有し、
前記パルセータと前記ケーシングとの間に水の流逸を困難にするラビリンスが形成されていることを特徴とする。
【０００７】
なお、本発明において「洗濯槽」とは、洗濯および脱水に供するものでは「脱水兼洗濯槽」に同じであり、乾燥に供するものでは（たとえば、温風が供給される場合）「乾燥兼脱水兼洗濯槽」に同じである。また、「洗濯水」とは、洗濯に供する水であって、水道水、風呂水やこれらに洗剤が投入されたものを指し、特段限定するものではない。また、洗濯とは、「洗い」または「濯ぎ」の一方または両方を指している。
【発明の効果】
【０００８】
したがって、本発明に係る洗濯機は、パルセータとケーシングとの間に水の流逸を困難にする本来のラビリンス（断面Ｌ字状や断面コ字状）が形成されるから、止水性（ポンプアップ性能に同じ）が向上することになる。そして、これに伴って循環する洗濯水の量が増すから、洗濯水中を浮遊する屑の捕捉が促進されると共に、水面に発生した泡の消失や、貯水槽の内面の洗浄が促進される。
【発明を実施するための最良の形態】
【０００９】
［実施の形態１］
図１は本発明の実施の形態１に係る洗濯機のラビリンスを説明する側面視の断面図である。なお、理解を助けるため、図中の各構成部材を模式的に示しているため、その寸法は正確でない。特に、薄板によって形成されている部材については厚さを誇張し、各構成部材間の間隔については隙間を誇張している。また、各図において同じ部分にはこれと同じ符号を付し、一部の説明を省略する。
図１において（一部詳細については図７参照）、洗濯機１００は、一連の洗い行程とすすぎ行程と脱水行程と乾燥行程とを実行するものである。なお、洗い行程と濯ぎ行程とをまとめて「洗濯行程」と称する場合がある。
【００１０】
洗濯機１００は、筐体と、該筐体内に収納された貯水槽（何れも図示しない）と、該貯水槽内に回転自在に配置された洗濯槽１０と、洗濯槽１０内に回転自在に配置されたパルセータ４０と、洗濯槽１０内に設置され、パルセータ４０を回転自在に包囲するケーシング２０と、洗濯槽１０に設置され、ケーシング２０に形成された開口部（以下、「流入口」と称す）７０に連通する循環水路３０と、を有している。
【００１１】
（洗濯槽）
洗濯槽１０は、投入された衣類の洗いとすすぎと脱水とに供するものでは「洗濯兼脱水槽」と、投入された衣類の洗いとすすぎと脱水と乾燥とに供するものでは「洗濯兼脱水兼乾燥槽」とも称呼されるものである。洗濯槽１０は貯水槽（図示しない）に回転自在に配置されている。
洗濯槽１０は天面が開放するコップ状であって、底面１２の中央において円形に開口する底面開口部１１が形成さ、底面１２と円筒状の側面１４との間には両者を滑らかに繋ぐ略円錐台状の傾斜面１３が形成されている。また、側面１４には洗濯行程における洗濯水の循環のため、および脱水行程における洗濯水の吹き飛ばしのため、複数の通水孔（図示しない）が形成されている。
【００１２】
（パルセータ）
洗濯槽１０の底面１２の内側(槽内）に、パルセータ４０が回転自在に配置されている。パルセータ４０のベース４０ｂの上面には羽根４０ａが形成され、投入された衣類および注入された水を効率的に攪拌するようになっている。ベース４０ｂの下面には略半径方向に向かって複数の裏羽根が設置され、複数の裏羽根の下端部には、これらを連結する円環状板（以下「裏蓋」と称す）４２が設置されている。したがって、ベース４０ｂの下面と裏蓋４２の上面との間には、一対の裏羽根に仕切られた複数の略角錐台状の空間（以下「加速流路」と称す）４３が形成されている。
【００１３】
また、裏蓋４２の内周縁４２ａとパルセータ４０の駆動軸４４との間には円環状の隙間（以下「吸引口」と称す）４５が形成され、吸引口４５は洗濯槽１０の底面１２に形成された底面開口部１１と平面視のおいて略重なり、両者は連通している。
よって、水中に没した状態で、パルセータ４０を回転すると、加速流路４３内の水は遠心力によって半径方向の外側に吹き飛ばされるから、洗濯槽１０の底面１１の下に貯まった水は、底面開口部１１および吸引口４５を通過して、加速流路４３に吸い込まれることになる。このとき、パルセータ４０の裏羽根４１と洗濯槽１０の底面１２との間に隙間が形成されないから、水が漏れることがなく、ポンプ性能（吸引／吐出性能に同じ）が優れている。
【００１４】
さらに、ベース４０ｂの裏面には、裏羽根の外周端面４１ｂを連結してベース４０ｂ寄りの所定範囲を包囲する裏外周壁５０と、ベース４０ｂの表面には、羽根４０ａの外周を連結して、外周にそって上方に突出する表外周壁６０とが、それぞれ設けられている。したがって、洗濯行程において、パルセータ４０の回転によって加速流路４３から外側に吹き飛ばされる水流は、裏外周壁５０の内周面５０ａにおいて略下方に向けられ、洗濯槽１０内では、パルセータ４０の羽根４０ａの回転によって撹拌された洗濯水は、表外周壁６０の内周面６０ａにおいて略上方に向けられる。
【００１５】
また、裏羽根４１の外周端面４１ｂは、裏外周壁５０よりも下の範囲が切り欠かれ、裏羽根切欠部４１ｃが形成されている。すなわち、裏羽根切欠部４１ｃに連なる範囲の外周（以下、「切欠側端面４１ｄ」と称す）は、外周端面４１ｂより一段奥まっている（図中、左に位置している）。
【００１６】
（循環水路）
洗濯槽１０の側面１４の内面側には、所定厚さ（半径方向の距離に同じ）で、所定幅（円周方向の距離に同じ）の循環水路３０が、底面１２から略上端にまで、鉛直方向（図中、上下方向）に形成されている。
循環水路３０は、洗濯槽１０の底面１２の一部と循環水路壁３２とによって囲まれ、上端部は上蓋部３４によって塞がれ、循環水路壁３２には貫通した噴射孔３３が形成されている。また、循環水路壁３２の下端は、連通水路壁３１を介してケーシング２０（流入口３０の位置に限る）の上端に接続されている。
【００１７】
（ラビリンス１）
ケーシング２０の内周に沿って上方に突出する円筒状の固定側止水壁２１が形成されている。なお、正確には、ケーシング２０の下端には内周側に突出する円環状の固定側内フランジ２２が形成され、固定側内フランジ２２の内周に沿って上方に突出する円筒状の固定側止水壁２１が形成されている。
一方、パルセータ４０に設置された裏外周壁５０の下端面５０ｃには、円環状の溝である移動側止水溝５１が形成されている。
そして、移動側止水溝５１に固定側止水壁２１が侵入自在であって、侵入した際、両者の間には所定の微少間隙が形成されるから、両者によって止水性を奏するラビリンス以下、「ラビリンス１」と称す）が形成されることになる。
【００１８】
（ラビリンス２）
ケーシング２０の内周に沿って下方に向かって円環状に陥没する固定側止水溝２３が形成されている。
一方、パルセータ４０に設置された表外周壁６０の上端には外側に突出するフランジ６１が形成され、フランジ６１の外周に沿って下方に突出する円筒状の移動側止水壁６２が形成されている。
そして、固定側止水溝２３に移動側止水壁６２が侵入自在であって、侵入した際、両者の間には所定の微少間隙が形成されるから、両者によって止水性を奏するラビリンス（以下、「ラビリンス２」と称す）が形成されることになる。
【００１９】
なお、裏外周壁５０の外周面５０ｂと表外周壁６０の外周面６０ｂとが同一面を形成し、ケーシング２０の内周面２０ａと所定の微少間隔を介して対峙するようにすれば、これらによっても、止水性を奏する隙間が形成されることになる。
したがって、洗濯機１００はラビリンス１およびラビリンス２を有するから、パルセータ４０の回転によって吐出された洗濯水は僅かな量の流逸あるいは流逸することなく、循環水路３０に供給される。よって、パルセータ４０のポンプアップ性能が向上している。
なお、本発明は洗濯機１００がラビリンス１およびラビリンス２の両方を具備するものに限定するものではなく、何れか一方を具備するものであってもよい。
【００２０】
（ラビリンス３）
図２〜図６は、図１に示す洗濯機に追加して設置することができるラビリンスを説明する側面視の断面図である。なお、実施の形態１と同じ部分にはこれと同じ符号を付し、一部の説明を省略する。
図２において、ケーシング２０の流入口７０の底面７１が、洗濯槽１０の底面１２よりも高い位置に配置されている。したがって、洗濯槽１０の底面１２と裏蓋４２の下面、および流入口７０底面７１と裏蓋４２の外周端面４２ｂ、によってラビリンス３が形成される。また、裏蓋４２の上面が流入口７０の底面７１より僅かに高くなっているから、加速流路４３から吹き出された水流の底部は、滑らかにケーシング２０に流入する。
【００２１】
（ラビリンス４）
図３において、ケーシング２０の流入口７０の底面７１に上方に突出する流入口下壁７４が形成され、流入口下壁７４の上縁が洗濯槽１０の底面１２よりも高い位置になっている。したがって、洗濯槽１０の底面１２と裏蓋４２の下面、および流入口下壁７４の下壁内面７４ａと裏蓋４２の外周端面４２ｂ、によってラビリンス４が形成される。
【００２２】
（ラビリンス５）
図４において、洗濯槽１０の底面１２の中央に形成された底面開口部１１の内周（底面１２の内周縁１２ａに同じ）に沿って、下方に突出する円環状の固定側止水壁８１が形成され、かつ、パルセータ４０の裏蓋４２の内周縁４２ａに沿って、下方に突出する円環状の移動側止水壁８４が形成されている。したがって、洗濯槽１０の底面１２と裏蓋４２の下面、および底面１２に形成された固定側止水壁８１の内面８１ａと裏蓋４２に形成された移動側止水壁８４の外周面８４ｂ、によってラビリンス５が形成される。
【００２３】
（ラビリンス６）
図５において、洗濯槽１０の底面１２の中央に形成された底面開口部１１の内周（底面１２の内周縁１２ａに同じ）に沿って、底面１２に下方に陥没する円環状の固定側止水溝８２が形成され、かつ、パルセータ４０の裏蓋４２に、固定側止水溝８２に侵入自在な円環状の移動側止水壁８５が形成されている。したがって、底面１２に形成された固定側止水溝８２に裏蓋４２に形成された移動側止水壁８５が侵入することによってラビリンス６が形成される。
【００２４】
（ラビリンス７）
図６において、洗濯槽１０の底面１２の中央に形成された底面開口部１１の内周（底面１２の内周縁１２ａに同じ）に沿って、底面１２に下方に陥没する円環状の固定側止水溝８２が形成され、かつ、パルセータ４０の裏蓋４２に、固定側止水溝８２に侵入自在な円環状の移動側止水壁８５が形成されている（ラビリンス６に同じ）。
さらに、パルセータ４０の裏蓋４２の内周縁４２ａに沿って、下方に突出する円環状の移動側止水壁８４が形成され、固定側止水溝８２を形成する固定側内周壁８３の内周面８３ａが鉛直に形成されている。
したがって、と固定側内周壁８３の内周面８３ａと移動側止水壁８４の外周面８４ｂ、固定側止水溝８２と移動側止水壁８５、洗濯槽１０の底面１２と裏蓋４２の下面、によってラビリンス７が形成される。
【００２５】
［実施の形態２］
図７〜図９は、本発明の実施の形態２に係る洗濯機を説明するものであって、図７は一部を示す側面視の断面図、図８は一部を示す平面視の断面図、図９は水流を模式的に示す一部を断面にした平面図である。図７〜図９において、洗濯機２００は、洗濯機１００（ラビリンス１、２、３を有する）に追加して、後記する水流誘導リブ９０ａ、９０ｂが設けられたものである。
水流誘導リブ９０ａ、９０ｂは、ケーシング２０に形成された流入口７０の側面７２ａ、７２ｂに、パルセータ４０側に突出して設置され、そのパルセータ４０側が、裏外周壁５０の下方および裏羽根切欠部４１ｃに侵入している。なお、水流誘導リブ９０ａ、９０ｂは平面視においてハ字状に面対称に配置されているから、以下、その一方について説明する。
【００２６】
すなわち、
水流誘導リブ９０ａ、９０ｂの下縁９１ａ、９１ｂのケーシング２０側は、流入口７０の流入口下壁７４（底面７１に形成されている）に当接し（または固定され）、下縁９１ａ、９１ｂのパルセータ４０側は裏蓋４２の上面および切欠上端面４１ｅと所定の間隔を形成している。
水流誘導リブ９０ａ、９０ｂの側縁９２ａ、９２ｂは裏羽根４１の切欠側端面４１ｄと所定の間隔を形成している。
水流誘導リブ９０ａ、９０ｂの上縁９３ａ、９３ｂのケーシング２０側は、流入口７０の天井面７３に当接し（または固定され）、上縁９３ａ、９３ｂのパルセータ４０側は裏外周壁５０の下端面５０ｃと所定の間隔を形成している。
【００２７】
したがって、パルセータ４０は水流誘導リブ９０ａ、９０ｂに衝突することなく回転することができ、回転によって加速流路４３から吹き出された接線方向に流れる水流は、水流誘導リブ９０ａ、９０ｂに案内されて循環水路３０に流入することになる（図９参照）。特に、前記所定の間隔は狭く設定されているから、ラビリンス１、２、３の止水効果にも助けられ、前記水流は効果的に循環水路３０に流入している。
なお、水流誘導リブ９０ａ、９０ｂは、その効果が必要な箇所に設置すればよく、たとえば、ポンプアップが必要な循環路３０、糸屑捕集（リントフィルター）が配置される循環路３０、あるいは、マイクロバブル（槽内洗浄）手段が配置される循環路３０等に連なる１または２以上の流入口７０に設置されるものである。
【００２８】
そして、パルセータ４０の裏蓋４２の外周には、水流誘導リブ９０ａ、９０ｂが通過自在なリブ通過用スリット４９ａ、４９ｂが形成されている。したがって、リブ通過用スリット４９ａ、４９ｂと水流誘導リブ９０ａ、９０ｂとの位相を合わせて（図８参照）、パルセータ４０を下方に押し込めば、パルセータ４０を所定に位置に設置することができる。
なお、リブ通過用スリット４９ａ、４９ｂの設置数は限定するものではなく、リブ通過用スリット４９ａ、４９ｂが設置される流入口７０の数量に同じか、組み立て（組み込み）時の作業性を良くするために流入口７０の数量より多くてもよい。
【００２９】
［実施の形態３］
図１０および図１１は、本発明の実施の形態３に係る洗濯機を説明するものであって、図１０は一部を示す側面視の断面図、図１１は一部を示す平面視の断面図である。図１０および図１１において、洗濯機３００は、洗濯機２００（水流誘導リブ９０ａ、９０ｂを有する）におけるパルセータ４０の裏蓋４２に形成されたリブ通過用スリット４９ａ、４９ｂを撤去したものである。
【００３０】
洗濯機３００における水流誘導リブ９０ａ、９０ｂは、洗濯機２００よりも突出量が短く、裏外周壁５０の下方に侵入し、その下縁９１ａ、９１ｂのケーシング２０側は、流入口７０の流入口下壁７４（底面７１に固定されたいる）に当接し（または固定され）、下縁９１ａ、９１ｂのパルセータ４０側は０洗濯槽１０の底面１２に当接している（または固定されている）。そして、水流誘導リブ９０ａ、９０ｂの上縁９３ａ、９３ｂは裏外周壁５０の下端面５０ｃと所定の間隔を形成し、の水流誘導リブ９０ａ、９０ｂの側縁９２ａ、９２ｂは裏羽根４1の外周端面４１ｂと所定の間隔を形成している。
【００３１】
したがって、洗濯機２００（実施の形態２）と同様に、パルセータ４０は水流誘導リブ９０ａ、９０ｂに衝突することなく回転することができ、回転によって加速流路４３から吹き出された接線方向に流れる水流は、水流誘導リブ９０ａ、９０ｂに案内されて循環水路３０に流入することになる（図９参照）。特に、前記所定の間隔は狭く設定されているから、ラビリンス１、２、３の止水効果にも助けられ、前記水流は効果的に循環水路３０に流入している。
【００３２】
［実施の形態４：洗濯機］
図１２は本発明の実施の形態４に係る洗濯機を説明する側面視の断面図である。図１２において、洗濯機４００は、筐体４１０内に、傾動自在に懸吊された水槽（貯水槽に同じ）を有し、ラビリンス１〜７および水流誘導リブ９０ａ、９０ｂに何れか１以上を有している（図示しない）。したがって、洗濯機４００は、循環水路３０への洗濯水の流入が促進されると共に、洗濯槽４５０が傾斜することによる洗浄性能の向上が図られる。
なお、洗濯機１００〜３（実施の形態１〜３）は、洗濯機４００から水槽を傾動させる機能を撤去したものに相当している。以下、洗濯機４００について簡単に説明する。
【００３３】
（洗濯機）
図１０において、洗濯機４００は、一連の洗い行程とすすぎ行程と脱水行程と乾燥行程とを実行するものであって、洗濯槽を傾斜させた状態（回転軸を鉛直方向に対して傾けた状態）で洗い行程と乾燥行程とを実行し、洗濯槽を直立させた状態（回転軸を鉛直方向にした状態）で脱水行程（すすぎ行程を含む場合がある）とを実行するものである。したがって、図１０に示す姿勢は、洗濯行程に対応している。
【００３４】
（筐体）
筺体４１０は断面矩形の筒状（略直方体に同じ）であって、天面には天面開口部４１１が形成され、天面開口部４１１には扉４１２が開閉自在に設置されている。また、天面開口部４１１の後方（図中、右側）には洗濯ケース４１３が設置されている。
また、筺体４１０のに連なって底枠４２０が接続され、底枠４２０の底板４２３（筐体４１０の低板に同じ）には、遮音板４２９とゴム足４２５とが設置されている。なお、遮音板５０の設置要領は洗濯機１００（実施の形態１）に同じであるから、説明を省略する。
さらに、筺体４１０は四隅の上端部近くには吊り板４２６が設置され、吊り板４２６には吊り座４２７が設けられている。
【００３５】
（水槽）
筺体４１０内に水槽（貯水槽に同じ）４３０が収納されている。水槽４３０は前面または上面が開放され、水槽底４３１が閉塞されたコップ状であって、水槽底４３１の近くで筐体４１０の四隅と同一位相に、バネ受け４３２が設置されている。
そして、水槽４３０は吊り棒４４０によって吊り下げられている。すなわち、吊り棒４４０の上端は吊り座４２７に係止し、下端はバネ４４１を介してバネ受け４３２によって支持されている。なお、後方の吊り棒４４０には吊り棒可動部４４２が設けられているから、吊り棒可動部４４２が後方の吊り棒４４０を引き上げると、水槽４３０は前方に向かって傾動する。
【００３６】
（脱水槽）
洗濯槽（脱水洗濯槽に同じ）４５０は、投入された衣類の洗いとすすぎと脱水と乾燥とに供するものであるから、洗濯兼脱水槽あるいは洗濯兼脱水兼乾燥槽とも称呼されるものである。脱水槽４５０は水槽４３０に回転自在に配置されている。そして、水槽４３０が傾動するから、脱水槽４５０は水槽４３０と共に傾動するものである。したがって、洗濯行程における洗濯水の撹拌が促進され、洗浄効果が向上すると共に、乾燥行程においても衣類の撹拌が促進されるから、乾燥効率が向上する。
脱水槽４５０は、前面または上面が開放され、脱水槽底４５１が閉塞されたコップ状で、側面４５２には脱水のための複数の通水孔４５３が形成され、天面の周囲にはバランサー４５４が設置されている。
【００３７】
（パルセータ等）
また、脱水槽底４５１の内側には、投入された衣類および注水された水（以下「洗濯水」と称す）を攪拌するパルセータ４０が回転自在に配置されている。そして、パルセータ４０はケーシング２０によって回転自在に包囲され、ケーシング２０に形成されて流入口７０に連通する循環水路３０が形成されている。
さらに、パルセータ４０とケーシング２０（脱水槽底４５１を含む）との間にはラビリンス１〜７の１以上が設けられている（図示しない）。また、これに追加して、流入口７０には水流誘導リブ９０ａ、９０ｂが設置されてもよい（図示しない）。
【００３８】
よって、水中に没した状態で、パルセータ４０を回転すると、加速流路４３内の水は遠心力によって半径方向の外側に飛ばされるから、水槽底４３１と脱水槽底４５１との間に貯まった洗濯水は、循環口４３５および吸引口４５を通過して、加速流路４３に吸い込まれ、流入口７０を通過して循環水路３０に流入することになる。このとき、設置されたラビリンス１〜７の１以上の止水効果、および設置された水流誘導リブ９０ａ、９０ｂの水流誘導効果によって、洗濯水は効率良く循環水路３０に流入する。このとき、パルセータ４０の裏羽根４１と洗濯槽１０の底面１２との間に隙間が形成されないから、水が漏れることがなく、ポンプ性能（吸引／吐出性能に同じ）が優れている。
なお、パルセータ４０は水槽４３０の水槽底４３１に軸受ベース・ステータ４７１を介して設置されたモータ４７０によって回転駆動されるものである。
【００３９】
（循環水路）
脱水槽４５０の側面の内側には、所定厚さ（半径方向の距離に同じ）で、所定幅（円周方向の距離に同じ）の循環水路３０が鉛直方向（図中、上下方向）に形成され、循環水路３０の上方には噴射孔３３が設けられている。
したがって、洗濯行程において、パルセータ４０の回転によって吐出された洗濯水は、循環水路３０を経由して噴射孔３３から脱水槽４５０内に噴射されることになる。したがって、水面の泡等が消されるから周囲が清浄に保たれる。さらに、循環水路３０内に屑（糸屑、布屑等）を捕捉する屑捕捉手段を設置してもよい。
【００４０】
（除湿手段）
さらに、水槽４３０には除湿手段４８０が設置されている。除湿手段４８０は乾燥行程において、脱水槽４５０から排出された湿った空気を案内する除湿風路４８１と、除湿風路４８１内に設置された除湿板４８２および乾燥フィルタ４８３と、除湿風路４８１に空気を吸引（脱水槽４５０に空気を送るに同じ）するファン・モータ４８４、ファン・モータ４８４によって送られた空気を加熱するヒータ４８５、ヒータ４８５によって加熱された空気を脱水槽４５０に案内する蛇腹４８６と、から形成されている。このとき、蛇腹４８６は可撓性または伸縮性を具備するから、水槽４３０の傾動に追従することができる。
なお、筐体４１０の天面には給水口４１４が設けられ、給水口４１４に注入された水は、分岐弁４１５によって分岐され、洗濯ケース４１３に注がれたり、あるいは除湿板４８２に注がれたりする。
【産業上の利用可能性】
【００４１】
本発明は以上の構成であるから、パルセータ等によって形成されるポンプ室から吐出された洗濯水を効率良く循環させることができるから、各種家庭用および業務用の洗濯機として広く利用することができる。
【図面の簡単な説明】
【００４２】
【図１】本発明の実施の形態１に係る洗濯機のラビリンスを説明する側面視断面図。
【図２】図１に示す洗濯機に設置可能なラビリンス３を説明する側面視の断面図。
【図３】図１に示す洗濯機に設置可能なラビリンス４を説明する側面視の断面図。
【図４】図１に示す洗濯機に設置可能なラビリンス５を説明する側面視の断面図。
【図５】図１に示す洗濯機に設置可能なラビリンス６を説明する側面視の断面図。
【図６】図１に示す洗濯機に設置可能なラビリンス７を説明する側面視の断面図。
【図７】本発明の実施の形態２に係る洗濯機を説明する一部を示す側面視の断面図。
【図８】本発明の実施の形態２に係る洗濯機を説明する一部を示す平面視の断面図。
【図９】図７に示す洗濯機を説明する水流を模式的に示す一部を断面にした平面図。
【図１０】本発明の実施の形態３に係る洗濯機を説明する一部を示す側面視断面図。
【図１１】本発明の実施の形態３に係る洗濯機を説明する一部を示す平面視断面図。
【図１２】本発明の実施の形態４に係る洗濯機を説明する側面視の断面図。
【符号の説明】
【００４３】
１〜７：ラビリンス、１０：洗濯槽、１１：底面開口部、１２：底面、１２ａ：内周縁、１４：側面、１３：傾斜面、２０：ケーシング、２０ａ：内周面、２１：固定側止水壁、２２：固定側内フランジ、２３：固定側止水溝、２３：固定側止水溝、３０：循環水路、３０：流入口、３１：連通水路壁、３２：循環水路壁、３３：噴射孔、３４：上蓋部、４０：パルセータ、４０ａ：羽根、４０ｂ：ベース、４１：裏羽根、４１ｂ：外周端面、４１ｃ：裏羽根切欠部、４１ｄ：切欠側端面、４１ｅ：切欠上端面、４２：裏蓋、４２ａ：内周縁、４２ｂ：外周端面、４３：加速流路、４４：駆動軸、４５：吸引口、４９ａ：リブ通過用スリット、４９ｂ：リブ通過用スリット、５０：裏外周壁、５０ａ：内周面、５０ｂ：外周面、５０ｃ：下端面、５１：移動側止水溝、６０：表外周壁、６０ａ：内周面、６０ｂ：外周面、６１：フランジ、６２：移動側止水壁、７０：流入口、７１：底面、７２ａ：側面、７２ｂ：側面、７３：天井面、７４：流入口下壁、７４ａ：下壁内面、８１：固定側止水壁、８１ａ：内面、８２：固定側止水溝、８３：固定側内周壁、８３ａ：内周面、８４：移動側止水壁、８４ｂ：外周面、８５：移動側止水壁、９０ａ：水流誘導リブ、９０ｂ：水流誘導リブ、９１ａ：下縁、９２ａ：側縁、９３ａ：上縁、１００：洗濯機（実施の形態１）、２００：洗濯機（実施の形態２）、３００：洗濯機（実施の形態３）、４００：洗濯機（実施の形態４）、４１０：筺体、４１１：天面開口部、４１２：扉、４１３：洗濯ケース、４１４：給水口、４１５：分岐弁、４２０：底枠、４２３：底板、４２５：ゴム足、４２６：吊り板、４２７：吊り座、４２９：遮音板、４３０：水槽、４３１：水槽底、４３２：バネ受け、４３５：循環口、４４０：吊り棒、４４１：バネ、４４２：吊り棒可動部、４５０：脱水槽、４５１：脱水槽底、４５２：側面、４５３：通水孔、４５４：バランサー、４７０：モータ、４７１：軸受ベース・ステータ、４８０：除湿手段、４８１：除湿風路、４８２：除湿板、４８３：乾燥フィルタ、４８４：モータ、４８５：ヒータ、４８６：蛇腹。
【図１】
2008194361.tif 000003
【図２】
2008194361.tif 000004
【図３】
2008194361.tif 000005
【図４】
2008194361.tif 000006
【図５】
2008194361.tif 000007
【図６】
2008194361.tif 000008
【図７】
2008194361.tif 000009
【図８】
2008194361.tif 000010
【図９】
2008194361.tif 000011
【図１０】
2008194361.tif 000012
【図１１】
2008194361.tif 000013
【図１２】
2008194361.tif 000014